(57)【要約】【課題】便鉢の外部に尿が垂れるのを防止可能な小便器を提供する。【解決手段】本発明に係る小便器は、壁面に取り付け可能に構成され、使用状態における使用者側に開口する便鉢を有する小便器本体１０を備える。小便器本体１０の左右方向両端それぞれの側壁部の左右方向Ｘ１の幅が壁面Ｋから離間するにしたがって漸次小さくなっている。小便器本体１０の外周側面１２ｂ，１２ｄの前端部は、上側から下方の所定の位置に進むにしたがって前記壁面から離間し、かつ前記所定の位置から下側に進むにしたがって前記壁面に近づくように、小便器本体１０の外周側面１２ｂ，１２ｄが形成されている。【選択図】図３
2019178575.tif 000002
【特許請求の範囲】
【請求項１】
壁面に取り付け可能に構成され、
使用状態における使用者側に開口する便鉢を有する小便器本体を備え、
前記壁面から離間するにしたがって前記小便器本体の左右方向の両端それぞれの側壁部の左右方向の幅が漸次小さくなり、
前記小便器本体の外周側面の前端部が上側から下方の所定の位置に進むにしたがって前記壁面から漸次離間し、かつ前記所定の位置から下側に進むにしたがって前記壁面に近づくように、前記小便器本体の外周側面が形成されていることを特徴とする小便器。
【請求項２】
側方から見て、前記小便器本体の前記前壁部の延材方向に直交する方向の幅は、下側から上側に進むにしたがって漸次小さくなっている、
請求項１に記載の小便器。
【請求項３】
側方から見て、前記前壁部の先端の前記直交する方向に沿った断面の曲率半径は５ｍｍ以下である、
請求項２に記載の小便器。
【請求項４】
前記小便器本体の側壁部は、
前記便鉢の内周底面の側端部から上側に延びる第１内壁部と、前記小便器本体の外周底面の側端部から上側に延びる第１外壁部とが左右方向に分離している側壁分離部と、
前記側壁分離部の前端から前側に延び、前記第１内壁部と前記第１外壁部が左右方向で一体に重なっている側壁重なり部と、
を有し、
前記小便器本体の前壁部は、
前記便鉢の内周底面の前端部から上側に延びる第２内壁部と、前記小便器本体の外周底面の前端部から上側に延びる第２外壁部とが前後方向に分離している前壁分離部と、
前記前壁分離部の上端から上側に延び、前記第２内壁部と前記第２外壁部が前後方向で一体に重なっている前壁重なり部と、
を有し、
前記側壁分離部の前端から前側に延びる前記側壁重なり部の長さは、前記前壁分離部の上端から上側に延びる前記前壁重なり部の長さより短い、
請求項１から請求項３のいずれか一項に記載の小便器。
【請求項５】
前記小便器本体を上方から見たときに、前記小便器本体の前壁部の曲率は、左右方向の両端より中央の方が小さくなっている、
請求項１に記載の小便器。
【発明の詳細な説明】
【技術分野】
【０００１】
本発明は、小便器に関する。
【背景技術】
【０００２】
一般に、小便器は、鉛直方向に沿って延びる壁面に取り付けられている。例えば、特許文献１には、使用者に対向する対向面を有する便鉢と、対向面に設けられて上下方向に延材する凸部と、対向面に沿って洗浄水を吐水する吐水部とを備えた小便器が開示されている。
【先行技術文献】
【特許文献】
【０００３】
【特許文献１】特開２０１７−４４０１０号公報
【発明の概要】
【発明が解決しようとする課題】
【０００４】
特許文献１に記載されている小便器では、吐水部から吐水された洗浄水が対向面を流下して凸部の上端部に到達すると、凸部によって洗浄水の流れが左右方向に拡がる。このことによって、対向面の全体に洗浄水が流れ、便鉢の内面が良好に洗浄される。このように特許文献１に記載されている小便器をはじめとする従来の小便器では、小便器本体及び便鉢が上下方向において上側から下側に進むにしたがって窄まっていることで、吐水部からの洗浄水が便鉢の底面の排水口に集められ、排水される。
【０００５】
上述の小便器本体は側方から見てＪ字形状を有し、小便器本体の下部が上側の部分に比べて使用者側に長く突出している。そのような形状を有する小便器本体は製造時に変形しやすいため、変形を防止するために強度を得るためには、便鉢の開口端縁を太くする必要があった。しかしながら、便鉢の開口端縁が太くなると、便鉢の内部が狭くなり、尿が便鉢の外部に垂れる可能性が高くなるという問題があった。
【０００６】
そこで、本発明は、便鉢の外部に尿が垂れるのを防止しつつ、小便器本体の製造時の変形を防止可能な小便器を提供する。
【課題を解決するための手段】
【０００７】
本発明に係る小便器は、壁面に取り付け可能に構成され、使用状態における使用者側に開口する便鉢を有する小便器本体を備え、前記壁面から離間するにしたがって前記小便器本体の左右方向の両端それぞれの側壁部の左右方向の幅が漸次小さくなり、前記小便器本体の外周側面の前端部が上側から下方の所定の位置に進むにしたがって前記壁面から漸次離間し、かつ前記所定の位置から下側に進むにしたがって前記壁面に近づくように、前記小便器本体の外周側面が形成されていることを特徴とする。
【０００８】
本発明の小便器によれば、小便器本体の左右方向の両端それぞれの側壁部の左右方向の幅が壁面から離間するにしたがって漸次小さくなるので、それぞれの側壁部において壁面から最も離れた先端側（前側）における左右方向に沿った断面の曲率半径が小さくなる。すなわち、側壁部において便鉢の開口を含む面に直交する切断面の曲率半径が５ｍｍ以下であり、側壁部の前端の曲率半径が従来の小便器等に比べて小さくなる。このことによって、便鉢の内部が広く確保され、便鉢の外部に尿が垂れにくくなる。また、小便器本体の外周側面の前端部が上側から下方の所定の位置に進むにしたがって壁面から漸次離間し、外周側面が直線状に設けられているので、前述の姿勢で小便器本体を製造した際に前壁部及び側壁部の変形が抑えられ、全体として小便器本体の変形が抑えられる。
【０００９】
また、本発明に係る小便器では、側方から見て、前記小便器本体の前記前壁部の延材方向に直交する方向の幅は、下側から上側に進むにしたがって漸次小さくなっていてもよい。
上述の小便器では、側方から見て、前記前壁部の先端の前記直交する方向に沿った断面の曲率半径は５ｍｍ以下であってもよい。
【００１０】
本発明の小便器によれば、前壁部の先端（すなわち、最も上側）における前記直交する方向に沿った断面の曲率半径が小さくなるので、便鉢の内部がより広く確保され、便鉢の外部に尿が垂れにくくなる。
【００１１】
また、本発明に係る小便器では、前記小便器本体の側壁部は、前記便鉢の内周底面の側端部から上側に延びる第１内壁部と、前記小便器本体の外周底面の側端部から上側に延びる第１外壁部とが左右方向に分離している側壁分離部と、前記側壁分離部の前端から前側に延び、前記第１内壁部と前記第１外壁部が左右方向で一体に重なっている側壁重なり部と、を有し、前記小便器本体の前壁部は、前記便鉢の内周底面の前端部から上側に延びる第２内壁部と、前記小便器本体の外周底面の前端部から上側に延びる第２外壁部とが前後方向に分離している前壁分離部と、前記前壁分離部の上端から上側に延び、前記第２内壁部と前記第２外壁部が前後方向で一体に重なっている前壁重なり部と、を有し、前記側壁分離部の前端から前側に延びる前記側壁重なり部の長さは、前記前壁分離部の上端から上側に延びる前記前壁重なり部の長さより短いことが好ましい。
【００１２】
本発明の小便器によれば、側壁分離部の前端から前側に延びる側壁重なり部の長さが前壁分離部の上端から上側に延びる前壁重なり部の長さより短いので、側壁部の強度が高くなり、製造時の前述の姿勢において側壁部が上側からの荷重（すなわち、前壁部の荷重）に耐えられる。したがって、小便器本体の変形が抑えられる。
【００１３】
また、本発明に係る小便器では、前記小便器本体を上方から見たときに、前記小便器本体の前壁部の平面視での曲率は、左右方向の両端より中央の方が小さくなっていることが好ましい。
【００１４】
本発明の小便器によれば、従来のように小便器本体の前壁部の曲率が左右方向の両端より中央の方が大きく、前壁部が前後方向において使用者側に突出している構造を有する小便器に比べて、便鉢に落ちた尿が左右方向に、また便鉢の外に、漏れにくい。したがって、便鉢の外部に尿が垂れにくくなる。
【発明の効果】
【００１５】
本発明によれば、意匠性の高い小便器が提供される。
【図面の簡単な説明】
【００１６】
【図１】本発明に係る一実施形態の小便器が壁に取り付けられた状態を示す斜視図である。
【図２】図１に示す小便器の小便器本体の正面図である。
【図３】図１に示す小便器の小便器本体の側面図である。
【図４】図１に示す小便器の小便器本体の上面図である。
【図５】図１に示す小便器の小便器本体の底面図である。
【図６】図２に示すＣ１−Ｃ１線で矢視した小便器本体の断面図である。
【図７】図２に示すＣ２−Ｃ２線で矢視した小便器本体の断面図である。
【図８】図２に示すＣ３−Ｃ３線で矢視した小便器本体の断面図である。
【図９】図２に示すＣ４−Ｃ４線で矢視した小便器本体の断面図である。
【図１０】図１に示す小便器の小便器本体の別の側面図である。
【図１１】図１０に示す切断位置ＣＰにおいて左右方向Ｘ１に沿った断面図である。
【図１２】図３に示すＣ７−Ｃ７線で矢視した小便器本体の側壁部の前側部分の断面図である。
【発明を実施するための形態】
【００１７】
以下、本発明の実施形態による小便器について、図面を参照して説明する。
【００１８】
図１に示すように、本実施形態の小便器１は、床面Ｆから鉛直方向に沿って延びる壁面Ｋに、最下部が床面Ｆから離れた状態で取り付けられる。本実施形態においては、不図示の使用者が小便器１を挟んで壁面Ｋに対向するように立った際に、使用者に近い側を前側、使用者から遠い側を後側とし、前側と後側とを結ぶ方向を前後方向Ｘ２とする。また、小便器１を前側から見たときの左側と右側とを結ぶ方向を左右方向Ｘ１とし、左右方向Ｘ１及び前後方向Ｘ２の双方に直交し、且つ小便器１を前側から見たときの上側と下側とを結ぶ方向を上下方向Ｘ３とする。
【００１９】
図１から図３に示すように、小便器１は、少なくとも前側（使用状態における使用者側）に開口する便鉢１１を有する小便器本体１０を備え、便鉢１１の内周面８１に吐水可能なスプレッダー２と、便鉢１１の内周底面８１ｃに形成された排水口８２と、排水口８２に連結された排水トラップ３とをさらに備える。
【００２０】
本実施形態の小便器本体１０は、小便器１の外周面１２を構成する外壁部１６を備える。外壁部１６は、壁面Ｋから前側に突出している。外壁部１６には、前側から後側に向かって斜め上方から見たときに対面し、トラック形状をなす開口１３が形成されている。本明細書において、トラック形状とは、左側及び右側の外周端がそれぞれ直線をなし、互いに平行するとともに、上側及び下側の外周端がそれぞれ略半円状の円弧をなし、それぞれの円弧の始点と終点に前述の左側の外周端と右側の外周端が連結している形状を表す。図２に示すように、使用者側から見て、上下方向Ｘ３において上側から下側に進むにしたがって、小便器本体１０及び便鉢１１が共有する開口１３の周端縁（端縁、端部）８３は左右方向Ｘ１で互いに平行な直線部１７Ａ，１７Ｂを有している。
【００２１】
便鉢１１は、開口１３の周端縁８３を外壁部１６と共有し、外壁部１６で囲まれた空間に周端縁８３から後側及び下側に向けて凹むように形成されている（図１及び図５参照）。すなわち、小便器本体１０は、外壁部１６と便鉢１１によって構成される中空体である。
【００２２】
図２に示すように、外壁部１６の外周面１２は、外周上面１２ａと、外周側面１２ｂ，１２ｄと、外周底面１２ｃと、外周前面１２ｆと、外周背面１２ｅを有する。
【００２３】
図３及び図６に示すように、外周上面１２ａは、前後方向Ｘ２において後側から前側に進むにしたがって、すなわち壁面Ｋから離間するにしたがって略一定の勾配で下降している。外周上面１２ａと壁面Ｋとがなす角度θ（狭角）は５０°より大きく、９０°より小さいことが好ましく、６０°より大きく、７０°より小さいことがより好ましい。角度θが５０°以下になると、不図示の清掃者の手が外周上面１２ａの後側に届きにくくなり、小便器本体１０の清掃性が低下する虞がある。また、角度θが９０°以上になると、そもそも外周上面１２ａが後側から前側に向かって下降することになるので、使用状態において外周上面１２ａと壁面Ｋとの隙間が露出してしまう。角度θが９０°であると、外周上面１２ａが前後方向Ｘ２において平坦になり、外周上面１２ａ上にゴミや汚れが貯まりやすく、小便器１の意匠性が低下する虞があるだけでなく、清掃者や使用者が外周上面１２ａ上にモノを置きやすくなり、モノを勢いよく置かれた際に破損する虞がある。
【００２４】
図２に示すように、外周上面１２ａは壁面Ｋに沿う左右方向Ｘ１において中央から遠ざかるにしたがって下降している。本実施形態では、左右方向Ｘ１における外周上面１２ａは、中央から所定の位置まで上側に凸となるように湾曲し、その後、外周側面１２ｂ，１２ｄのいずれか一方の面へ滑らかに接続する。また、前後方向Ｘ２で見ると、外周上面１２ａの左右方向Ｘ１の勾配は後側より前側の方が大きい。なお、本実施形態の小便器本体１０のように外周上面１２ａが曲面である場合、上下方向Ｘ３に対する外周面１２の勾配（すなわち、外周面１２上の任意の位置を通る外周面１２の接線の上下方向Ｘ３に沿う仮想線に対する勾配）は、左右方向Ｘ１において、一方の側端（すなわち、外周側面１２ｂ，１２ｄの一方）で零（ゼロ）である。その状態から、上下方向Ｘ３に対する外周面１２の勾配は、他方の側端（すなわち、外周側面１２ｂ，１２ｄの他方）に向かうと零より大きくなって増加し、左右方向Ｘ１の中央で最大になる。さらに、上下方向Ｘ３に対する外周面１２の勾配は、左右方向Ｘ１の中央から他方の側端に近づくにしたがって減少し、他方の側端で再び零になる。なお、曲面である外周上面１２ａは、上下方向Ｘ３に対する勾配が０より大きい面を表す。
【００２５】
図３に示すように、側面視では、外周側面１２ｂ，１２ｄは、上下方向Ｘ３において、上側から周端縁８３の最下部まで進むにしたがって、前側が略一定の距離で前側に延出するように形成されている。すなわち、外周側面１２ｂ，１２ｄは、上下方向Ｘ３において、上側から下側に進むにしたがって、周端縁８３が略一定の距離で壁面Ｋから離間するように、形成されている。また、外周側面１２ｂ，１２ｄは、上下方向Ｘ３において、周端縁８３の最下部から下側に進むにしたがって、前側が略一定の割合で後側に後退するように形成されている。
【００２６】
図２に示すように、正面視では、外周側面１２ｂ，１２ｄは、上下方向Ｘ３において互いに平行し、かつ床面Ｆ（図１参照）に直交している。また、図４に示すように、上面視では、外周側面１２ｂ，１２ｄは、前後方向Ｘ２において前側から後側に進むにしたがって、互いに僅かに離れるように拡がっている。
【００２７】
図３に示すように、外周底面１２ｃは、前後方向Ｘ２において前側から後側に向かう際に、所定の位置まで略水平に、すなわち床面Ｆに対して略平行に進んだ後に、僅かに上側に凹み、やや下降した後に下側に僅かに突出している。外周底面１２ｃの中央部は、後述する排水口８２の下方にあたり、上下方向Ｘ３における上側に凹む凹部８７が形成されている。凹部８７には、排水口８２で便鉢１１に連結された排水トラップ３が上下方向Ｘ３における下側に設けられている。
【００２８】
図３及び図６に示すように、側面視では、外周前面１２ｆは、上下方向Ｘ３において、上側から周端縁８３の最下部まで進むにしたがって周端縁８３のみで構成される。また、上下方向Ｘ３において、外周前面１２ｆは、周端縁８３の最下部から外壁部１６の最下部まで左右方向Ｘ１の全体にわたり、かつ周端縁８３の最下部から下側に進むにしたがって外周側面１２ｂ，１２ｄと連動し、後側に略一定の割合で後退する。また、図４に示すように、上面視では、外周前面１２ｆは、左右方向Ｘ１において、中央から遠ざかるにしたがって後側に位置するように、かつ前側に凸となるように湾曲している。
【００２９】
図６に示すように、外周背面１２ｅは、少なくとも部分的に壁面Ｋに当接するように、壁面Ｋに沿って形成されている。本実施形態では、前後方向Ｘ２において後側から前側へ向かって見た際に、外周背面１２ｅの外周部が壁面Ｋに当接可能とされている。外周背面１２ｅの中央部は、外周部から前後方向Ｘ２において前側に凹み、便鉢１１や排水トラップ３と適宜接続するように形成されている。また、外周背面１２ｅの中央部は、小便器１の壁面Ｋへの取り付け状態において、壁面Ｋとの間にスプレッダー２の少なくとも基端部を収容する空間を形成する。外周背面１２ｅの外周部は、この空間を封止する。
【００３０】
便鉢１１の内周面８１は、内周上面８１ａと、内周側面８１ｂ，８１ｄと、内周底面８１ｃと、内周前面８１ｆと、内周後面８１ｅを有する。
【００３１】
図６に示すように、内周上面８１ａは、前後方向Ｘ２において後側から前側に進むにしたがって、すなわち壁面Ｋから離間するにしたがって略一定の勾配で上昇している。内周上面８１ａと壁面Ｋとがなす角度（狭角）φは、０°より大きく、６０°より小さいことがより好ましく、１０°より大きく、３０°より小さいことが好ましい。角度φが６０°以上になると、清掃者が清掃前後の状態を確認しにくくなる虞がある。さらに、角度φが前述の範囲内であれば、内周上面８１ａは、前述のように傾斜しつつ、内周側面８１ｂ，８１ｄ及び内周後面８１ｅと接続部分に近づくにつれて湾曲しながら滑らかに接続される。そのため、内周上面８１ａの清掃性が良い。
【００３２】
内周上面８１ａは、壁面Ｋに沿う左右方向Ｘ１において、中央から遠ざかるにしたがって下降する。本実施形態では、左右方向Ｘ１において、内周上面８１ａは、外周上面１２ａをなぞり、中央から所定の位置まで離れるまで上側に凸となるように湾曲した後、内周側面８１ｂ，８１ｄの何れか一方の面へ円滑に接続している。
【００３３】
図７（ａ），（ｂ），（ｃ）に示すように、上下方向Ｘ３において上側から下側に至る断面視では、内周側面８１ｂ，８１ｄは、上側から周端縁８３の最下部まで進むにしたがって、周端縁８３をなぞって前側に延び、内周底面８１ｃに接続する。同じ断面視において、内周側面８１ｂ，８１ｄの前端部１８０（すなわち、周端縁８３）同士の左右方向Ｘ１の間隔は略一定になっている。つまり、内周側面８１ｂ，８１ｄのそれぞれの前端部１８０は、トラック形状を有する周端縁８３をなぞり、上下方向Ｘ３の位置によらず、左右方向Ｘ１において略一定の間隔で離間している。
【００３４】
図６に示すように、内周底面８１ｃには、排水口８２が形成されている。排水口８２は、上面視で略円形の開口を有し、かつ内周底面８１ｃから上下方向Ｘ３において上側から下側に進むにしたがって窄まっている。内周底面８１ｃは、左右方向Ｘ１及び前後方向Ｘ２において排水口８２の円形開口に向かって窄まるように、所定の勾配をもって上下方向Ｘ３で傾斜している。排水口８２は、排水トラップ３を有する排水流路３３に連結されている。
【００３５】
排水口８２には、目皿４が嵌められている。目皿４は、排水口８２に挿入される挿入部９０と、挿入部９０の上端から径方向の外側に拡がり、排水口８２の円形開口の上方で排水口８２を覆う皿部８８とを備える。
【００３６】
図６に示すように、断面視では、内周前面８１ｆは、上下方向Ｘ３に対して略一定の勾配になっており、周端縁８３の最下部（内周前面８１ｆの上端）から下端まで進むにしたがって、前後方向Ｘ２において後退する。上下方向Ｘ３に対する内周前面８１ｆの勾配は、同方向に対する外周前面１２ｆの勾配に比べてやや大きい。
【００３７】
また、内周前面８１ｆは、外周前面１２ｆと同様に、左右方向Ｘ１において、中央から遠ざかるにしたがって後側に位置するように、かつ前側に凸となるように湾曲している。すなわち、上面視において、内周前面８１ｆの前端部１８１近傍の左右方向Ｘ１に対する曲率は、２％以下であることが好ましい。前端部１８１近傍の内周前面８１ｆの曲率が２％より大きくなると、上面視において内周前面８１ｆが前端部１８１を先端として尖った形状を有することになり、内周前面８１ｆの面積が大きくなるので、尿ダレや尿の飛散を抑える効果が低下する虞がある。
【００３８】
内周後面８１ｅは、上下方向Ｘ３において上側から下側へ向かって見た際に、所定の位置までほぼ鉛直方向に沿って壁面Ｋに平行し、所定の位置から最下部に向けて前後方向Ｘ２の前側に向かって湾曲するように形成されている。また、上下方向Ｘ３において上側から下側へ進むにしたがって、内周後面８１ｅは、左右方向Ｘ１において縮小している。すなわち、内周後面８１ｅにおいて壁面Ｋに平行する部分の左右方向Ｘ１の幅は、上下方向Ｘ３において上側から下側へ進むにしたがって小さくなっている。内周後面８１ｅにおいて壁面Ｋに平行する部分の両端１８８Ａ，１８８Ｂは、上下方向Ｘ３において上側から下側へ進むにしたがって、左右方向Ｘ１において両端間の距離が漸次縮小するしぼまり線（図２参照）を描く。
【００３９】
内周後面８１ｅの上部には、正面視において略円形の貫通孔８５が形成されている。貫通孔８５には、前後方向Ｘ２に沿ってスプレッダー２が貫通している。スプレッダー２の吐水ヘッドは、便鉢１１の内周面８１で囲まれる空間内に突出している。このことによって、吐水ヘッドから吐水される洗浄水が内周面８１に伝わり、内周面８１が洗浄される。
【００４０】
外壁部１６は、外周面１２が前述のように外周上面１２ａと、外周側面１２ｂ，１２ｄと、外周底面１２ｃと、外周前面１２ｆと、外周背面１２ｅの各面をなすように、所定の厚みを有する陶器でできている。便鉢１１は、内周面８１が前述のように内周上面８１ａと、内周側面８１ｂ，８１ｄと、内周底面８１ｃと、内周前面８１ｆと、内周後面８１ｅの各面をなすように、所定の厚みを有する陶器でできており、外壁部１６と一体的に成形されている。外周背面１２ｅを除く外周面１２、及び内周面８１は、釉薬で被覆されている。
【００４１】
図７、図８及び図９に示すように、外周側面１２ｂを有する外壁部１６と内周前面８１ｂを有する便鉢（内壁部）１１によって、小便器本体１０の側壁部９１Ｂが構成されている。同様に、外周側面１２ｄを有する外壁部１６と内周前面８１ｄを有する便鉢（内壁部）１１によって、小便器本体１０の側壁部９１Ｄが構成されている。側壁部９１Ｂ，９１Ｄの前端（すなわち、周端縁８３）において開口１３を含む面Ｐ（図３参照）に直交する面で切断したときの切断面（すなわち、図３に示す二点鎖線ＣＴで切断したときの側壁部９１Ｂ，９１Ｄの切断面）の曲率半径ｒは、図１２に示すように、０ｍｍより大きく５ｍｍ以下である。また、壁面Ｋ（図示略）から離間するにしたがって側壁部９１Ｂ，９１Ｄの左右方向Ｘ１の幅ｗ９１が漸次小さくなっている。
【００４２】
図６に示すように、外周前面１２ｆを有する外壁部１６と内周前面８１ｆを有する便鉢（内壁部）１１によって、小便器本体１０の前壁部９３が構成されている。側方から見て前壁部９３の延在方向Ｘ５に直交するＸ６方向における幅ｗ９３は、下側から上側に進むにしたがって漸次小さくなっている。また、Ｘ５，Ｘ６方向を含む面（図６の紙面に平行な面）で切断した前壁部９３の先端９３ｔ（すなわち、前壁部９３の上側先端の周端縁８３）の断面の曲率半径は、本実施形態において５ｍｍである。
【００４３】
なお、便鉢１１の内部空間を確保する観点から、前壁部９３の先端９３ｔのＸ６方向に沿った断面の曲率半径は、５ｍｍ以下であることが好ましい。また、同観点から、前壁部９３に加えて側壁部９１Ｂ，９１Ｄの上下方向Ｘ３の少なくとも中央より下側において側壁部９１Ｂ，９１Ｄの延在方向に直交する方向に沿った断面の曲率半径は、５ｍｍ以下であることが好ましい。さらに、本実施形態では、側壁部９１Ｂ，９１Ｄの全体にわたって先端の曲率半径が５ｍｍ以下である。加えて、側壁部９１Ｂ，９１Ｄの先端を含み、周端縁８３の延材方向及び面Ｐに直交する周端縁８３の切断面の曲率半径は５ｍｍ以下になっている。このことによって、便鉢１１の内部がより大きく確保され、尿が便鉢１１の外部に垂れるのを確実に防止し、かつ小便器１の意匠性が高まる。
【００４４】
また、図７、図８及び図９に示すように、小便器本体１０を上方から見たときに、前壁部９３の曲率は、内周前面８１ｄが前述の曲率を有するように適宜設定され、左右方向の両端より中央の方が小さくなっている。
【００４５】
さらに、側壁部９１Ｂ，９１Ｄはそれぞれ、内周底面８１ｆの側端部８１Ｅから上側に延びる第１内壁部１０１と、外周底面１２ｃの側端部１２Ｅから上側に延びる第１外壁部１１１とが左右方向Ｘ１に分離している側壁分離部１２１と、側壁分離部１２１の前端から前側に延び、第１内壁部１０１と第１外壁部１１１が左右方向Ｘ１で一体に重なっている側壁重なり部１２２と、を有する。
さらに、図６に示すように、前壁部９３は、内周底面８１ｆの前端部８１Ｆから上側に延びる第２内壁部１３１と、外周底面１２ｃの前端部１２Ｆから上側に延びる第２外壁部１３２とが前後方向Ｘ２に分離している前壁分離部１４１と、前壁分離部１４１の上端から上側に延び、第２内壁部１３１と第２外壁部１３２が前後方向Ｘ２で一体に重なっている前壁重なり部１４２と、を有する。
本実施形態では、小便器本体１０の上下方向Ｘ３における少なくとも下部の側壁分離部１２１の前端から前側に延びる側壁重なり部１２２の長さＬ１は、前壁分離部１４１の上端から斜め上側（上側）に延びる前壁重なり部１４２の長さＬ２より短くなっている。例えば、長さＬ１は３０ｍｍ程度であり、長さＬ２は５５ｍｍ程度である。
【００４６】
以上説明した本実施形態の小便器１は、壁面Ｋに取り付け可能に構成され、便鉢１１を有する小便器本体１０を備え、壁面Ｋから離間するにしたがって側壁部９１Ｂ，９１Ｄの左右方向Ｘ１の幅が漸次小さくなっている。また、また、外周側面１２ｂ，１２ｄの前端部（周端縁８３）が上側から下方の所定の位置に進むにしたがって壁面Ｋから漸次離間し、かつ上端部（所定の位置）から下側に進むにしたがって壁面Ｋに近づくように、外周側面１２ｂ，１２ｄが形成されている。
【００４７】
本発明の小便器によれば、側壁部９１Ｂ，９１Ｄのそれぞれの左右方向Ｘ１の幅ｗ９１が壁面Ｋから離間するにしたがって漸次小さくなるので、側壁部９１Ｂ，９１Ｄの先端側（前端）における左右方向Ｘ１に沿った断面の曲率半径が５ｍｍ以下というように従来に比べて小さくなる。このことによって、便鉢１１の内部を広く確保し、便鉢１１の外部に尿が垂れるのを防止できる。また、側壁部９１Ｂ，９１Ｄの先端側の曲率半径が例えば５ｍｍ以下というように小さくても、側壁部９１Ｂ，９１Ｄの後側の幅ｗ９１が先端側より広いので、側壁部９１Ｂ，９１Ｄの強度を確保できる。
【００４８】
また、本実施形態の小便器１では、上述のように小便器本体１０の外周側面１２ｂ，１２ｄが形成されているので、小便器本体１０の製造時に、成形及び焼成による小便器本体１０の変形を防ぐことができる。一般に、下面が水平でない陶器製の小便器本体は、本実施形態の小便器１における外周背面１２ｅに相当する面を水平方向に沿って寝かせた状態で焼成される。従来のように図１０の破線で示す開口端部を有する小便器では、小便器本体の上側（壁面Ｋへの取り付け状態では前側）の外周前面１２ｆを含む外壁部１６や内周前面８１ｆを含む便鉢１１が重力によって下降する虞がある。しかしながら、本実施形態の小便器１では、図１０に示すように、外周前面１２ｆを含む外壁部１６が重力を受けても、外周側面１２ｂ，１２ｄを含み、かつ縦方向及び横方向の両方向（壁面Ｋへの取り付け状態では前後方向Ｘ２及び上下方向Ｘ３）に拡がる外壁部１６によって支持されることによって、外周前面１２ｆを含む外壁部１６や内周前面８１ｆを含む便鉢１１の下降、及び小便器本体１０や便鉢１１の変形を防止できる。
【００４９】
すなわち、図１０に示すように、側壁部９１Ｂ，９１Ｄを鉛直方向に沿って立てた姿勢で製造する際の小便器本体１０の変形を抑えることができる。また、外周側面１２ｂ，１２ｄの前端部が上側から下方の所定の位置に進むにしたがって壁面から漸次離間し、外周側面１２ｂ，１２ｄが図１０に示すように直線状に設けられているので、図１０に示す姿勢で小便器本体１０を製造した際に前壁部９３及び側壁部９１Ｂ，９１Ｄの変形が抑えられ、全体として小便器本体１０の変形を抑えることができる。
【００５０】
また、本実施形態の小便器１では、側方から見て、前壁部９３のＸ６方向の幅ｗ９３は、下側から上側に進むにしたがって漸次小さくなっている。側方から見て、前壁部９３の先端のＸ６方向に沿った断面の曲率半径は５ｍｍ以下である。
【００５１】
本発明の小便器によれば、前壁部９３の先端のＸ６方向に沿った断面の曲率半径を従来の小便器に比べて小さくし、便鉢１１の内部をより広く確保できる。そのため、便鉢１１の外部に尿が垂れるのを防止できる。
【００５２】
また、本発明に係る小便器では、側壁部９１Ｂ，９１Ｄは側壁分離部１２１と側壁重なり部１２２とを有し、前壁部９３は前壁分離部１４１と前壁重なり部１４２とを有する。側壁分離部１２１の前端から前側に延びる側壁重なり部１２１の長さＬ１は、前壁分離部１４１の上端から斜め上側に延びる前壁重なり部１４２の長さより短い。
【００５３】
本発明の小便器によれば、長さＬ１が長さＬ２より短いので、側壁部９１Ｂ，９１Ｄの強度が高くなり、製造時の図１０に示す姿勢において、図１１に示すように側壁部９１Ｂ，９１Ｄが上側からの荷重（すなわち、前壁部の荷重）に耐え、矢印ＯＵＴ方向に変形するのを防ぐことができる。したがって、小便器本体１０の変形を抑えられる。
【００５４】
また、本発明に係る小便器では、小便器本体１０を上方から見たときに、前壁部９３の曲率は、左右方向Ｘ１の両端より中央の方が小さくなっている。
【００５５】
従来のように小便器本体の前壁部の平面視での曲率が左右方向の両端より中央の方が大きく、前壁部が前後方向において使用者側に突出している構造を有する小便器に比べて、本発明の小便器によれば、便鉢１１に落ちた尿が左右方向に、また便鉢の外に、漏れにくい。したがって、便鉢１１の外部に尿が垂れるのを防止できる。
【００５６】
以上、本発明の好ましい実施形態について詳述したが、本発明は係る特定の実施形態に限定されるものではなく、特許請求の範囲内に記載された本発明の要旨の範囲内において、種々の変更が可能である。
【符号の説明】
【００５７】
１  小便器
１０  小便器本体
１１  便鉢
１２ｂ，１２ｄ  外周側面
８３  周端縁（端縁、端部）
１８０  前端部
Ｋ  壁面
Ｘ１  左右方向
【図１】
2019178575.tif 000003
【図２】
2019178575.tif 000004
【図３】
2019178575.tif 000005
【図４】
2019178575.tif 000006
【図５】
2019178575.tif 000007
【図６】
2019178575.tif 000008
【図７】
2019178575.tif 000009
【図８】
2019178575.tif 000010
【図９】
2019178575.tif 000011
【図１０】
2019178575.tif 000012
【図１１】
2019178575.tif 000013
【図１２】
2019178575.tif 000014